(57)【特許請求の範囲】
【請求項１】
光源の前面に設けられ、結晶化度が比較的高い第１の部材と、前記第１の部材と同じ組成の材料から成り、前記第１の部材よりも結晶化度が低い第２の部材を備える光源カバー用の成形体であって、
前記第１の部材及び前記第２の部材は加熱処理により結晶化する結晶性プラスチック樹脂から成り、
前記第１の部材は、前記光源との距離が近い領域に形成され、
前記第２の部材は、前記第１の部材の周辺に形成され、
前記第１の部材から前記第２の部材にかけて結晶化度が緩やかに漸減していることを特徴とする光源カバー用の成形体。
【請求項２】
前記第１の部材及び第２の部材は、脂肪族ポリエステル類を含む植物由来樹脂から成ることを特徴とする請求項１に記載の光源カバー用の成形体。
【請求項３】
前記第１の部材の結晶化度が１０〜４０％であり、前記第２の部材の結晶化度がゼロとなるよう形成されていることを特徴とする請求項１又は請求項２に記載の光源カバー用の成形体。
【請求項４】
請求項１乃至請求項３のいずれか一項に記載の光源カバー用の成形体を備えた照明器具。
【発明の詳細な説明】
【技術分野】
【０００１】
本発明は、光源カバー用の成形体及びこの成形体を備えた照明器具に関する。
【背景技術】
【０００２】
近年の照明器具は、意匠性を高めるために薄型化が求められ、光源と光源カバーとの距離が近くなる設計がなされる傾向にある。このような照明器具では、光源の形状が光源カバーに裏映りする、いわゆるランプイメージが顕著に現れ易い。このランプイメージは、照明器具の発光面の見栄えを悪くする要因となる。
【０００３】
特に、光源に環状蛍光ランプを用いた住宅照明シーリングライト用のグローブや、直管型蛍光ランプを複数灯使用した施設用ベースライト用の下面パネル等では、光源からの光束を極力減衰せずに、光の利用効率が良く、ランプの輝度ムラが少なく、輝度均斉度の良い発光面を有することが望ましい。また、液晶ＴＶ用直下型バックライトにおいても、冷陰極ランプ等から光束を効率良く前面に透過させると共に、発光面の輝度均斉度が高くなることが望ましい。
【０００４】
この種の照明器具等においては、一般に、透明性を有する樹脂材料に光拡散剤を分散させて形成された光拡散性成形体が用いられる（例えば、特許文献１参照）。また、光源カバーに櫛歯状の縞模様等のパターンを形成することにより、光拡散剤を用いることなく光源カバーの拡散透過率を任意に変化させて、輝度均斉度が良く、光を均一に照射できるようにした照明器具が知られている（例えば、特許文献２参照）。
【０００５】
また、光源カバーの蛍光ランプに対向する面に、不透過白色の模様をドット印刷により付着させ、透過光を減衰又は拡散させて、ランプイメージが現れ難くすることにより、発光面の輝度均斉度を向上させた照明器具が知られている（例えば、特許文献３参照）。
【０００６】
更に、非結晶状態にあるプラスチック部材の一部にレーザー光を照射して、その一部を結晶化させてこれを外層とし、レーザー光を照射せずに非結晶状態とした部分を内層とすることにより、屈折率の異なる２層から成る発光部材を製造する方法が知られている（例えば、特許文献４参照）。これら屈折率の異なる２層を適宜に組み合わせることにより、光拡散剤を用いることなく輝度均斉度の高い光源カバーを形成することができる。
【特許文献１】特開平１０−８７９４１号公報
【特許文献２】特開２００４−１１１２８３号公報
【特許文献３】特開２００２−７５０３０号公報
【特許文献４】特開２００６−２２５５７０号公報
【発明の開示】
【発明が解決しようとする課題】
【０００７】
しかしながら、特許文献１に示される光拡散性成形体では、樹脂材料に光拡散剤を分散させる際に、光拡散剤の濃度を高くすれば、輝度均斉度が向上するが、光拡散材が光を吸収するので、光利用効率が低下して輝度が低くなってしまう。また、輝度低下を抑制するため、光拡散剤の濃度を低くすると、光源の直近又は直上の輝度が他の部位よりも大きくなって、輝度ムラが生じて輝度均斉度が低下する。更に、近年の照明器具は、リモコンから送信される赤外線信号等によって調光制御されるものが多く、このような照明器具の光源カバーに光拡散剤が用いられると、リモコンからの赤外線等が光拡散剤によって吸収又は乱反射され、照明器具の信号受信感度が低下することがあった。
【０００８】
また、特許文献２又は特許文献３に示される照明器具では、光源カバーに形成された縞状のパターンや、シルク印刷により形成されたドット状のパターンが、長期間の使用により光源からの紫外線や熱により劣化し、輝度均斉度が低下することがあった。また、これらのパターンが、褐色や黒色等に変色することもあり、光源カバーとしての美観を損ねてしまうことがあった。しかも、これらの劣化は、光源カバーが光源と近接して設けられると、より顕著になって現れる。
【０００９】
また、特許文献４に示される発光部材は、その製造工程において、照射エリアの小さいレーザーを用いて樹脂を結晶化させるため、照明器具の光源カバーのような、大きな面積を結晶化するには多大な処理時間を要し、製造効率が悪い。更に、レーザーの照射ムラによって光源カバー面内で結晶化度のバラツキが生じ、この結晶化度のバラツキが輝度ムラとなって輝度均斉度を低下させることがある。そのため、例えば、長手形状の発光部材の外層といった比較的面積の小さい光源用形成体には適用できるが、照明器具やバックライト装置等の光源カバーのような、比較的大きな面積を有する光源用成形体には適用できないという、成形体の形状制限があった。
【００１０】
本発明は、上記課題を解決するものであり、光拡散剤を用いることなく光拡散性を有し、しかも光源と近接して設けられても、光源からの光を効果的に拡散して発光面の輝度を均一化することができ、また、劣化にも強く、成形体の形状制限も少ない光源カバー用の成形体及びこれを備えた照明器具を提供することを目的とする。
【課題を解決するための手段】
【００１１】
上記課題を解決するため、光源の前面に設けられ、結晶化度が比較的高い第１の部材と、前記第１の部材と同じ組成の材料から成り、前記第１の部材よりも結晶化度が低い第２の部材を備える光源カバー用の成形体であって、前記第１の部材及び前記第２の部材は加熱処理により結晶化する結晶性プラスチック樹脂から成り、前記第１の部材は、前記光源との距離が近い領域に形成され、前記第２の部材は、前記第１の部材の周辺に形成され、前記第１の部材から前記第２の部材にかけて結晶化度が緩やかに漸減しているものである。
【００１３】
請求項２の発明は、請求項１に記載の光源カバー用の成形体において、前記第１の部材及び第２の部材は、脂肪族ポリエステル類を含む植物由来樹脂から成るものである。
【００１４】
請求項３の発明は、請求項１又は請求項２に記載の光源カバー用の成形体において、前記第１の部材の結晶化度が１０〜４０％であり、前記第２の部材の結晶化度がゼロとなるよう形成されているものである。
【００１５】
請求項４の発明は、請求項１乃至請求項３のいずれか一項に記載の光源カバー用の成形体を備えた照明器具である。
【発明の効果】
【００１６】
請求項１の発明によれば、第１の部材が結晶化されることにより光拡散性が得られるので、リモコン等から送信された赤外線信号等を吸収又は乱反射させたり、光源からの光の利用効率を低下させる光拡散材の添加量を抑制することができる。そのため、従来の光拡散材のみによって光拡散性を持たせた光源カバーに比して、照明器具の信号受信感度を低下させることなく、しかも発光面を高輝度にすることができる。更に、光源との距離が近い領域に、結晶化度が比較的高い第１の部材が光源２からの光を効果的に拡散させるので、光源２の形状が裏映りする、いわゆるランプイメージが現れ難くなり、光源と近接して設けられたときに、発光面の輝度均斉度を向上させることができる。
【００１７】
また、第１の部材及び第２の部材は、同一の組成から成る材料から形成されるので、互いに分離することなく劣化に強いものとすることができる。更に、第１の部材の結晶化は、例えば、ヒータ加熱処理といった手段で行われるので、大きな面積を有する成形体にも適用でき、成形体の形状制限が少なく、様々な照明器具に利用できる光源カバー用の成形体が得られる。
【００１８】
また、ランプシルエット（輝度）のコントラスト比が急激に変化することが無いので、光源カバー用の成形体の表面全体の輝度が均一化され、意匠性が更に向上する。
【００１９】
請求項２の発明によれば、照明器具分野において多量に使用される透光性の樹脂成形体に、脂肪族ポリエステル類を含む植物由来樹脂を利用することにより、化石資源消費量の削減、及び二酸化炭素排出量の削減することができる。また、ＰＬＡといった脂肪族ポリエステル類は、生分解性を有するため、廃棄処分される際の環境に対する負荷が小さい光源カバー用の成形体を提供することができる。
【００２０】
請求項３の発明によれば、輝度ムラが少なく輝度均斉度に優れると共に、輝度の高い光源カバー用の成形体を実現することができる。
【００２１】
請求項４の発明によれば、光源との距離が短い配置であっても輝度均斉度が良い光源カバー用の成形体を備えたことにより、光源からの光を効率的に拡散し、光を均一に照射することができ、見栄えの良い薄型の照明器具を提供することができる。
【発明を実施するための最良の形態】
【００２２】
本発明の一実施形態に係る光源カバー用の成形体及びそれを備えた照明器具について、図面を参照して説明する。本実施形態の照明器具１は、光源２と、この光源２を固定する器具本体３と、器具本体３に装着される光源カバー用の成形体４とを備える。照明器具１は、図１（ａ）乃至（ｄ）に示すように、光源２に複数の直管型蛍光ランプ等が用いられるタイプであってもよいし、図２（ａ）乃至（ｄ）に示すように、光源２に環状蛍光ランプ等が用いられるタイプであってもよく、その形状やタイプは特に限定されない。器具本体３及び光源カバー用の成形体４は、光源２の形状や種類に応じた適宜の形状に形成される。光源カバー用の成形体４は、光源２から出射される光を任意に拡散配光させると共に、ユーザが光源２を直接見ることによって不快に感じるグレアを低減する照明器具カバーとして用いられる。また、光源カバー用の成形体４は、照明器具カバーに限らず、パネル又はブラケット等、照明器具に用いられる様々な透光性樹脂成形体に適用可能である。
【００２３】
光源カバー用の成形体４は、結晶化度が比較的高い第１の部材４１と、この第１の部材４１と同じ組成の材料から成り、第１の部材４１よりも結晶化度が低い第２の部材４２とを備える。また、第１の部材４１は、光源２との距離が近い領域に形成され、第２の部材４２は、第１の部材４１の周辺に形成される。
【００２４】
第１の部材４１及び第２の部材４２を構成する樹脂材料には、非晶状態にあるプラスチック樹脂であって、加熱処理（アニール）によって結晶化する結晶性プラスチック樹脂が用いられる。光源カバーとして必要な光透過性を有する結晶性材料であれば、特に限定されることなく公知の種々の結晶性プラスチック樹脂が使用され、例えば、ポリエチレン（超高分子量ポリエチレンを含む）、ポリプロピレン、ポリアミド、シンジオタクチックポリスチレン、ポリアセタール、ポリブチレンテレフタレート、ポリエチレンテレフタレート、ポリメチルペンテン、ポリフェニレンサルファイド、ポリエーテルエーテルケトン、液晶ポリマー（ＬＣＰ）、ポリテトラフロロエチレン、ポリエーテルニトリル又はフッ素樹脂等が挙げられる。
【００２５】
（光源カバーの成形方法）
光源カバー用の成形体４の成形方法は、樹脂材料を所望の形状に成形できれば特に限定されるものではなく、射出成形方法、押出成形方法等、公知の成形方法で所望の形状に加工することができる。また、押出成形方法で得られたシート状の板状物を真空成形や圧空成形、プレス成形、ブロー成形等により任意の形状に加工することができ、様々な照明器具用カバーとして適用することができる。光源カバー用の成形体４の厚さは１．０ｍｍ以上が望ましい。極端に肉厚が薄いと結晶化しても光の拡散効果が無く、光源カバーの役目を果たさない。
【００２６】
（光源カバーの結晶化）
光源カバー用の成形体４の結晶化は、加熱処理により行われ、所望の形状に賦形された成形体を、液体加熱ヒータ、電気ヒータ、遠赤外線ヒータ又はニクロム線ヒータ等の加熱手段を用いて、直接接触又は一定間隔を設けて加熱する方法等、少なくとも光源カバー用の成形体４のうち、結晶化させたい部分を選択的に加熱することができる公知の手法により行われる。また、加熱時間は、成形体を構成する材料に応じて適宜に変化させられ、材料の結晶化度により制御されるものとする。加熱処理により、結晶化度が比較的高くなるように形成された第１の部材４１は、結晶化度の低い第２の部材４２とは異なる結晶の方向性を有すため、第１の部材４１と第２の部材４２との界面において、結晶の方向性が不揃いとなる結晶粒界が生じ、これにより光拡散効果が得られる。
【００２７】
本実施形態の光源カバー用の成形体４は、上記の結晶粒界によって、光拡散効果が得られ、第１の部材４１の結晶化度を制御することにより光拡散率を調整することができる。近年の照明器具は、リモコンから送信される赤外線信号等によって調光制御されるものが多く、このような照明器具の光源カバーに光拡散剤が多量に用いられると、リモコンからの赤外線等が光拡散剤によって吸収又は乱反射され、照明器具の信号受信感度が低下することがある。また、光拡散剤は、光源からの光を吸収し、光利用効率を低下させることがあった。しかし、本実施形態の光源カバー用の成形体４によれば、第１の部材４１が結晶化されることにより光拡散性が得られるので、光拡散材の添加量を抑制することができる。そのため、従来の光拡散材のみによって光拡散性を持たせた光源カバーに比して、リモコンからの信号受信感度を低下させることがなく、また、光拡散剤によって光源からの光が吸収されることも抑制されるので、光利用効率が高くなり、発光面を高輝度にすることができる。
【００２８】
また、光源２との距離が近い領域に、結晶化度が比較的高い第１の部材４１が形成されているので、この部分の透光性を抑えて光拡散性が高まり、光源２からの光が効果的に拡散される。そのため、光源２の形状が裏映りする、いわゆるランプイメージが現れ難くなり、光源カバー用の成形体４の輝度均斉度を向上させることができる。
【００２９】
また、第１の部材４１及び第２の部材４２は、同一の組成から成る材料から形成されるので、互いに分離することなく劣化に強いものとすることができる。更に、第１の部材４１及び第２の部材４２の結晶化は、例えば、ヒータ加熱処理といった手段で行われるので、大きな面積を有する成形体にも適用でき、成形体の形状制限が少なく、様々な照明器具に利用できる光源カバー用の成形体４が得られる。また、輝度均斉度に優れた光源カバーの成形体４を備えたことにより、本実施形態の照明器具１は、光源２からの光を効率よく拡散し、光を均一に照射することができる。
【００３０】
本実施形態の光源カバー用の成形体４は、好ましくは、図１（ｃ）（ｄ）及び図２（ｃ）（ｄ）に示したように、第１の部材４１から第２の部材４２にかけて結晶化度が緩やかに漸減するように形成される。これは、加熱条件を制御する、すなわち、ヒータ等の熱源を、成形体４の一部に近接させ、熱源の近くの部分の結晶化度を高くし、熱源から離れるほどに結晶化度を低くすることにより、結晶化度を連続的に可変とすることができ、それにより、グラデーション的に光拡散率に変化を付けることができる。こうすれば、ランプシルエット（輝度）のコントラスト比が急激に変化することが無いので、光源カバー用の成形体４の表面全体の輝度が均一化され、意匠性が更に向上する。また、複数の材料を接着剤等で接着するのではなく、光拡散性の高い第１の部材４１及び光拡散性が第１の部材４１より小さい第２の部材４２が一体的に形成されるので、簡便で安価な方法で、しかも機械的強度の高い光源カバー用の成形体４を得ることができる。
【００３１】
また、光源カバー用の成形体４は、第１の部材４１の結晶化度が１０〜４０％であり、第２の部材４２の結晶化度が略ゼロとなるよう形成されることが望ましい。第１の部材４１の結晶化度が高く、光拡散性が高くなるように形成されると、光透過性が低下し、発光面における輝度が低下する。一方、結晶化度が低く、光拡散性が低くなるように形成されると、光透過性は向上するが、輝度ムラを生じ易くなり、光源カバーとしての役割を果たすことができなくなる。しかし、光源カバー用の成形体４が上記のように構成されると、輝度ムラが少なく輝度均斉度に優れると共に、輝度の高い発光面を実現することができる。
【００３２】
本実施形態の第１の部材４１及び第２の部材４２を構成する樹脂材料には、好ましくは、脂肪族ポリエステル類を含む植物由来樹脂が使用される。植物由来樹脂としては、特に限定されるものではなく公知の脂肪族ポリエステル系樹脂が使用される。例えば、ポリグリコール酸（ＰＧＡ）、ポリ乳酸（ＰＬＡ）、ポリ-β-ヒドロキシ酪酸（ＰＨＢ）、ポリ-ε-カプロラクトン（ＰＣＬ）、ポリブチレンサクシネート（ＰＢＳ）又はポリエチレンサクシネート（ＰＥＳ）等が挙げられる。
【００３３】
一般に、照明器具分野では、照明器具カバー、シーリング用グローブ、パネル又はブラケット等といった透光性の樹脂成形体に石油由来のプラスチックが多量に用いられている。そのため、これらに植物由来のプラスチックである脂肪族ポリエステル類を利用することにより、化石資源消費量の削減、及び二酸化炭素排出量の削減することができる。また、ＰＬＡといった脂肪族ポリエステル類は、生分解性を有するため、廃棄処分される際の環境に対する負荷が小さい光源カバー用の成形体を提供することができる。
【００３４】
上述した各種の樹脂材料は、単独で使用されてもよく、また、複数の材料を適宜にポリマーブレンド又は相溶化剤等を用いてポリマーアロイ化して使用されてもよく、その配合比率等は、使用される樹脂の性質等に応じて適宜に定められる。更に、これらの材料に、光源カバーの用途等に応じて適宜の添加剤が添加及び分散されてもよい。樹脂材料中に添加される添加剤としては、例えば、顔料、染料、酸化防止剤、紫外線吸収剤、光安定剤、熱安定剤、帯電防止剤、抗菌剤等が用いられ、光源カバー用の成形体４の光透過性や耐久性を低下させない範囲において、その種類や添加量等は特に限定されない。また、結晶化度の高い第１の部材４１を形成する部位を構成する材料に、結晶化を促進させるために結晶核剤を添加してもよい。特に、樹脂材料として脂肪酸ポリエステル類が用いられるときには結晶核剤を添加することが好ましい。
【００３５】
本実施形態の光源カバー用の成形体４において、光拡散剤は必要とされないが、輝度バラツキを抑制するために、適宜に光拡散剤が添加されてもよい。添加される光拡散剤としては、例えば、ポリスチレン系重合体、ポリシロキサン系重合体又はこれらの架橋物から成る微粒子、フッ素系樹脂、ベンゾグアナミン樹脂架橋物、酸化チタン、硫酸バリウム、炭酸カルシウム、シリカ及びタルク等があり、特に、硫酸バリウム、炭酸カルシウム、シリカ等の無機系粒子を使用することが好ましい。光拡散剤の添加量は、樹脂組成物１００重量部に対して０．０５〜１重量部程度であるが、光源カバー用の成形体４の光透過性を低下させなければ特に制限されない。
【００３６】
以下に、本実施形態の光源カバー用の成形体４について、具体的な構成材料、作成方法及び作成された各種実施例の効果について、比較例と対比して説明する。
【００３７】
＜実施例１＞
ＰＬＡ樹脂（ＬＡＣＥＡ  Ｈ−４００／三井化学製）１００重量部に対し、ベンゾトリアゾール系紫外線吸収剤（チヌビン３２６／チバスペシャルティケミカルズ製）０．２部、光拡散剤として硫酸バリウム０．５部を添加したものを、ヘンシェルミキサーで攪拌した。その後、短軸押出成形機にて溶融混練した後、ストランド状に押出しペレット状にカットしたものを樹脂組成物とした。得られた樹脂成形物を、押出成形機を用いて、板厚２．０ｍｍ、１２００×４００ｍｍのシートに成形し、このシートを４０Ｗ直管型蛍光ランプ４灯配置ベースライトのランプ位置に正対する部分を遠赤外線ヒータで１１０℃、３分加熱して、図１（ａ）に示すような成形体を作成し、これを実施例１とした。
【００３８】
＜実施例２＞
実施例１と同様の手法で作成された樹脂組成物を、射出成形により、φ３５０、肉厚ｔ２．０ｍｍ、３０Ｗ丸管蛍光灯シーリングライトリエント状のグローブを成形し、そのグローブの３０Ｗ丸管蛍光灯ランプと正対する部分を、ニクロム線ヒータにより１２０℃×３分、加熱して、図２（ａ）に示すような成形体を作成し、これを実施例２とした。
【００３９】
＜比較例１＞
実施例１と同様の手法で作成された樹脂成形物を、押出成形機を用いて、板厚２．０ｍｍ、１２００×４００ｍｍのシートを成形し、加熱処理を行わずに、図１（ａ）に示すような、４０Ｗ直管蛍光ランプ４灯配置ベースライトに適合する形状として、これを比較例１とした。
【００４０】
＜比較例２＞
ポリメタクリル酸メチル樹脂（ＶＨ−００１／三菱レイヨン製）１００重量部に対して、ベンゾフェノン系紫外線吸収剤（Ｕｖｉｎｕｌ／ＢＡＳＦ製）を０．２部、シリコーン樹脂ビーズ（ＭＳＰ−Ｓ０２０／日興リカ製）を２．５部添加したものをヘンシェルミキサーで攪拌した。その後、短軸押出機にて溶融混練した後、ストランド状に押出しペレット状にカットしたものを樹脂組成物とした。得られた樹脂組成物を、押出成形機を用いて、板厚３．０ｍｍ、４５０×４５０ｍｍのシートに成形し、このシートを遠赤外線ヒータ炉で１５０℃×６０秒加熱した後、圧空真空成形機を用いて、図２（ａ）に示すような、φ３５０、肉厚ｔ２．０ｍｍ、３０Ｗ丸管蛍光灯シーリングライトリエント状のグローブを成形し、これを比較例２とした。
【００４１】
＜比較例３＞
比較例２と同様の手法で作成された樹脂組成物を、押出成形機を用いて、板厚２．０ｍｍ、１２００×４００ｍｍのシートに成形し、実施例１と同様に、図１（ａ）に示すような４０W直管蛍光ランプ４灯配置ベースライトに適合する成形体を作成し、これを比較例３とした。
【００４２】
作成された実施例及び比較例の夫々について、結晶化度、光透過率及び光拡散率が測定された。結晶化度の測定は、Ｘ線回折法（ＸＲＤ）により得られたピーク面積を算出することにより行われた。また、光透過率は、自記分光光度計（Ｕ４１００、日立ハイテクノロジーズ）により、３８０〜７８０ｎｍ可視光領域の分光透過特性が測定され、そのうちの５５５ｎｍの値を光透過率とした。
【００４３】
光拡散率は、ＤＩＮ５０３６に規定された方法に準じて測定された。これは、光源から照射され試験体（光源カバー）で光が拡散される際に、試験体透過面の角度毎の輝度を測定し下記算出式にて求めるものであり、光拡散率は下記の式により求められる。
【００４４】
（数１）
光拡散率Ｄ％＝〔〔（２０度の輝度）＋（７０度の輝度）〕／（５度の輝度）×２〕×１００
【００４５】
更に、室温０℃内に光源及び住宅用丸型蛍光灯シーリングライトを用いて、近線赤外線リモコンにより点灯後、調光制御が作動する時間を測定することにより、光源カバー用の成形体４のリモコン特性を判定した。これらの結果を、表１に示す。
【００４６】
【表１】
0005000440.tif 000002
【００４７】
リモコン特性の判定は、作動時間が１５秒以内であるものを◎、３０秒以内を○、６０秒以内を△、６０秒以上を×とした。また、各光源の連続点灯試験後の外観（ランプイメージ）を評価した。ランプイメージが顕著であるものを×、目立つものを△、やや目立つものを○、ほとんど目立たないものを◎とした。
【００４８】
実施例１，２は、比較例１〜３に較べて、ランプイメージが目立たなくなった。これらの結果は、本実施形態の光源カバー用の成形体４は、光源２から近い領域に形成された第１の部材４１が、光を効果的に拡散することにより、発光面全体として輝度均斉度に優れていることを示すものである。すなわち、本実施形態の光源カバー用の成形体４は、光源との距離が近い薄型の照明器具に適用されたときにも、照明器具の見栄えを良くすることができる。また、実施例１，２は、赤外線リモコンが用いられたときの作動時間も、比較例２，３に比べて早く、ユーザにとって使い勝手の良い照明器具とすることができる。
【００４９】
なお、本発明は、上記構成に限られることなく種々の変形が可能である。同一の材料を用いて、その結晶化度を適宜に制御することにより、光拡散性を有するように構成された樹脂成形体であれば、上述した照明器具カバーに限られず、例えば、液晶ディスプレイの保護膜等にも適用できる。
【図面の簡単な説明】
【００５０】
【図１】（ａ）は本発明の一実施形態に係る光源カバー用の成形体を備え、光源に直管型蛍光ランプを用いた照明器具の外観を示す斜視図、（ｂ）は同照明器具の側断面図、（ｃ）は同光源カバー用の成形体の正面図、（ｄ）は同光源カバー用の成形体の側断面図。
【図２】（ａ）は本発明の一実施形態に係る光源カバー用の成形体を備え、光源に環状蛍光ランプを用いた照明器具の外観を示す斜視図、（ｂ）は同照明器具の側断面図、（ｃ）は同光源カバー用の成形体の正面図、（ｄ）は同光源カバー用の成形体の側断面図。
【符号の説明】
【００５１】
１    照明器具
２    光源
３    器具本体
４    光源カバー用の形成体（照明器具カバー）
４１    第１の部材
４２    第２の部材
【図１】
0005000440.tif 000003
【図２】
0005000440.tif 000004